(57)【要約】【課題】車両用シートのシートバック３における車幅方向外側の側部にエアバッグユニット４０を内蔵する場合に、エアバッグ袋体が早期にパッド３５及び縫製部３２の両方を破断して、出来る限り早期に安定してシートバック３の外側に展開できるようにする。【解決手段】パッド３５の縫製部３２に対応する部分に、エアバッグ袋体４１の展開圧により該パッド３５の破断を促進させる破断促進部６１を上下方向に延びるように設け、エアバッグユニット４０とエアバッグユニット４０よりもシート幅方向外側におけるパッド３５との間に配設したカバー部材５１を、該カバー部材５１のシート前側端がパッド３５の破断促進部６１に近接した状態で該破断促進部６１に略沿って上下方向に延びるように配設するとともに、エアバッグ袋体４１の展開圧によりカバー部材５１のシート前側端が破断促進部６１及び縫製部３２に対し破断力を作用させるように変形可能に形成する。【選択図】図２
2011068198.tif 000002
【特許請求の範囲】
【請求項１】
車両の衝突時に、シートバックにおける車幅方向外側の側部に内蔵されかつエアバッグ袋体とインフレータとを含むエアバッグユニットにおける該インフレータから該エアバッグ袋体にガスを供給することで、上記エアバッグ袋体が、上記エアバッグユニットのシート前側及びシート幅方向両側を覆うように配設されたパッドを破断しかつ上記シートバックにおける前面側表皮と車幅方向外側の側面側表皮との間の縫製部を破断して、該縫製部の破断により形成された開口からシートバックの外側に展開するように構成されたエアバッグ装置を備えた車両用シートであって、
上記パッドの上記縫製部に対応する部分に上下方向に延びるように設けられ、上記エアバッグ袋体の展開圧により該パッドの破断を促進させる破断促進部と、
上記エアバッグユニットと該エアバッグユニットよりもシート幅方向外側における上記パッドとの間においてシート前後方向に延びるように配設され、該シートバック内の第１固定部材に取り付けられたカバー部材と、
を備え、
上記カバー部材は、該カバー部材のシート前側端が上記破断促進部に近接した状態で該破断促進部に略沿って上下方向に延びるように配設されていて、上記エアバッグ袋体の展開圧により該カバー部材のシート前側端が上記破断促進部及び縫製部に対し破断力を作用させるように変形可能に形成されていることを特徴とするエアバッグ装置を備えた車両用シート。
【請求項２】
請求項１記載のエアバッグ装置を備えた車両用シートにおいて、
上記破断促進部は、上記パッドにおける上記縫製部に対応する部分のシート内側面において上下方向に延びる溝部を有していることを特徴とするエアバッグ装置を備えた車両用シート。
【請求項３】
請求項１又は２記載のエアバッグ装置を備えた車両用シートにおいて、
上記カバー部材よりもシート幅方向内側の上記シートバック内に配設され、上記前面側表皮よりも伸長率の低い可撓性の低伸張部材を更に備え、
上記低伸張部材の一端部は、上記前面側表皮における上記縫製部側の端部ないしその近傍に取り付けられている一方、上記低伸張部材の他端部は、上記シートバック内の第２固定部材に取り付けられており、
上記カバー部材と上記低伸張部材との間に、上記エアバッグユニットが配設されていることを特徴とするエアバッグ装置を備えた車両用シート。
【請求項４】
請求項３記載のエアバッグ装置を備えた車両用シートにおいて、
上記低伸張部材の一端部は、上下方向において、上記カバー部材のシート前側端が位置する範囲の一部に位置していることを特徴とするエアバッグ装置を備えた車両用シート。
【請求項５】
請求項４記載のエアバッグ装置を備えた車両用シートにおいて、
上記低伸張部材の一端部は、上下方向において、上記カバー部材のシート前側端が位置する範囲の略中央部に位置していることを特徴とするエアバッグ装置を備えた車両用シート。
【請求項６】
請求項１〜５のいずれか１つに記載のエアバッグ装置を備えた車両用シートにおいて、
上記カバー部材は、上記エアバッグユニットの側方位置から上記破断促進部に向かってほぼ真っ直ぐに前側に延びていることを特徴とするエアバッグ装置を備えた車両用シート。
【請求項７】
請求項１〜６のいずれか１つに記載のエアバッグ装置を備えた車両用シートにおいて、
上記カバー部材は、上記エアバッグユニットを収容する収容部を有していて、該収容部にエアバッグユニットを収容した状態で、上記第１固定部材に取付け可能に構成されていることを特徴とするエアバッグ装置を備えた車両用シート。
【請求項８】
請求項３〜５のいずれか１つに記載のエアバッグ装置を備えた車両用シートにおいて、
上記破断促進部は、上記パッドをシート前後方向に貫通するスリットを有し、
上記低伸張部材は、上記エアバッグユニットと該エアバッグユニットよりもシート幅方向内側における上記パッドとの間に配設されていて、上記スリットを通って該パッドのシート内側から外側へ延びており、
上記低伸張部材の上記他端部は、上記第２固定部材としてのシートバックフレームに取り付けられていることを特徴とするエアバッグ装置を備えた車両用シート。
【請求項９】
請求項８記載のエアバッグ装置を備えた車両用シートにおいて、
上記低伸張部材の上記他端部は、上記シートバックフレームのシート後側部分に取り付けられていることを特徴とするエアバッグ装置を備えた車両用シート。
【発明の詳細な説明】
【技術分野】
【０００１】
本発明は、エアバッグ装置を備えた車両用シートに関する技術分野に属する。
【背景技術】
【０００２】
従来より、車両のシートのシートバックにおける車幅方向外側の側部にエアバッグユニットを内蔵しておき、車両の側面衝突時に、そのエアバッグユニットのエアバッグ袋体を、そのシートに着座している乗員の側方（衝突により変形するドア等の車体と乗員との間）に展開させることで、衝突による衝撃力を吸収して乗員を保護するようにすることはよく知られている。このエアバッグ袋体は、例えば特許文献１に示されているように、シートバックにおける前面側表皮と側面側表皮との間の縫製部を破断して、該縫製部の破断により形成された開口からシートバックの外側に展開するように構成されている。
【０００３】
ここで、上記特許文献１では、シートバックにおける車幅方向外側の側部のパッド内側に、樹脂製のカバー部材が配設されている。このカバー部材は、サイドフレームに固着される取付部と、エアバッグユニットのシート前側を覆うように湾曲形成されたガイド部とを有し、カバー部材とサイドフレームとの間にエアバッグユニットが配置され、ガイド部はエアバッグユニットのシート前側を覆っている。そして、エアバッグ袋体が、その展開時にカバー部材のガイド部を押し開くことで縫製部を破断して、その縫製部の破断による開口からシートバックの外側に展開する。
【先行技術文献】
【特許文献】
【０００４】
【特許文献１】特許第３０２００４８号公報
【発明の概要】
【発明が解決しようとする課題】
【０００５】
上記特許文献１のものでは、エアバッグユニットのシート前側部分にパッドが存在せず、カバー部材のガイド部が表皮に直接当接して縫製部を破断するため、縫製部の破断が早期に行われる。しかし、エアバッグユニットのシート前側部分にパッドが存在しないため、乗員が縫製部の周囲を触ったときの感触が悪く、このため、高級感が損なわれるという問題がある。
【０００６】
そこで、エアバッグユニットのシート前側及びシート幅方向両側を覆うようにパッドを配設することが考えられるが、この場合、エアバッグ袋体がパッド及び縫製部の両方を早期に破断しなければならなくなる。
【０００７】
本発明は、斯かる点に鑑みてなされたものであり、その目的とするところは、車両用シートのシートバックにおける車幅方向外側の側部に内蔵されたエアバッグユニットのエアバッグ袋体がパッド及び縫製部の両方を破断してシートバックの外側に展開する場合に、エアバッグ袋体が早期にパッド及び縫製部の両方を破断して、出来る限り早期に安定してシートバックの外側に展開できるようにすることにある。
【課題を解決するための手段】
【０００８】
上記の目的を達成するために、この発明では、車両の衝突時に、シートバックにおける車幅方向外側の側部に内蔵されかつエアバッグ袋体とインフレータとを含むエアバッグユニットにおける該インフレータから該エアバッグ袋体にガスを供給することで、上記エアバッグ袋体が、上記エアバッグユニットのシート前側及びシート幅方向両側を覆うように配設されたパッドを破断しかつ上記シートバックにおける前面側表皮と車幅方向外側の側面側表皮との間の縫製部を破断して、該縫製部の破断により形成された開口からシートバックの外側に展開するように構成されたエアバッグ装置を備えた車両用シートを対象として、上記パッドの上記縫製部に対応する部分に上下方向に延びるように設けられ、上記エアバッグ袋体の展開圧により該パッドの破断を促進させる破断促進部と、上記エアバッグユニットと該エアバッグユニットよりもシート幅方向外側における上記パッドとの間においてシート前後方向に延びるように配設され、該シートバック内の第１固定部材に取り付けられたカバー部材と、を備え、上記カバー部材は、該カバー部材のシート前側端が上記破断促進部に近接した状態で該破断促進部に略沿って上下方向に延びるように配設されていて、上記エアバッグ袋体の展開圧により該カバー部材のシート前側端が上記破断促進部及び縫製部に対し破断力を作用させるように変形可能に形成されている構成とした。
【０００９】
上記の構成により、カバー部材のシート前側端が破断促進部に近接した状態で該破断促進部に略沿って上下方向に延びているので、エアバッグ袋体の展開圧によるカバー部材のシート外側への変形によって、カバー部材のシート前側端がパッドの破断促進部ないしその近傍を押圧して破断促進部に対し即座に破断力を作用させるとともに、側面側表皮における縫製部側の端部ないしその近傍をパッドを介して押圧して縫製部に対しも破断力を作用させる。これにより、パッドは破断促進部の箇所で即座に破断する。また、縫製部は、通常、パッドに遅れて破断するが、縫製部の破断がパッドの破断よりも遅くなった場合でも、カバー部材が、その遅くなった分だけより大きくなった展開圧を受けてシート外側へ大きく変形するので、カバー部材のシート前側端が縫製部に対しパッドを介してより大きな破断力を作用させる。この結果、パッドの破断後直ぐに縫製部も破断する。したがって、パッド及び縫製部の両方の破断が促進されて、エアバッグ袋体のシート外側への展開が早期にかつ安定して行われる。
【００１０】
上記車両用シートにおいて、上記破断促進部は、上記パッドにおける上記縫製部に対応する部分のシート内側面において上下方向に延びる溝部を有していることが好ましい。
【００１１】
これにより、溝部がパッドの破断の起点となってパッドが破断し易くなり、パッドの破断が促進される。また、パッドの厚みを厚くしても、溝部の深さを深くすることでパッドの破断を早期に行うことができるようになる。一方、このように溝部の深さを深くしても、溝部がパッドのシート内側面、つまりエアバッグユニット側の面に形成されているので、乗員が縫製部の周囲を触ったときの感触には殆ど影響がなく、パッドの厚みを厚くすることで、良好な感触が得られるようになる。
【００１２】
上記車両用シートにおいて、上記カバー部材よりもシート幅方向内側の上記シートバック内に配設され、上記前面側表皮よりも伸長率の低い可撓性の低伸張部材を更に備え、上記低伸張部材の一端部は、上記前面側表皮における上記縫製部側の端部ないしその近傍に取り付けられている一方、上記低伸張部材の他端部は、上記シートバック内の第２固定部材に取り付けられており、上記カバー部材と上記低伸張部材との間に、上記エアバッグユニットが配設されていることが好ましい。
【００１３】
このことにより、カバー部材と低伸張部材との間にエアバッグユニットが配設されているので、エアバッグ袋体が、その展開圧により、カバー部材及び低伸張部材を互いに反対側へ押圧し、これにより、伸び難い低伸張部材が、前面側表皮における縫製部側の端部を、カバー部材によりパッドを介して押圧される側面側表皮に引っ張られて移動しないように拘束する。したがって、縫製部の破断がより一層促進されて、エアバッグ袋体のシート外側への展開が早期にかつ安定して行われる。
【００１４】
上記車両用シートが上記低伸張部材を備えている場合、上記低伸張部材の一端部は、上下方向において、上記カバー部材のシート前側端が位置する範囲の一部に位置していることが好ましい。
【００１５】
これにより、縫製部の一部（低伸張部材の一端部が取り付けられている部分）に破断力が集中して、その破断力が集中した部分が縫製部の破断の起点となる。このように破断の起点を作ることで、縫製部の破断がより一層促進される。
【００１６】
上記低伸張部材の一端部は、上下方向において、上記カバー部材のシート前側端が位置する範囲の略中央部に位置していることが好ましい。
【００１７】
こうすれば、エアバッグ袋体を、展開させたい所望の高さ位置に素早く展開させることができる。すなわち、低伸張部材の一端部（つまり破断の起点）が、カバー部材の前側端が位置する範囲の中央部よりも上側又は下側にあったとすると、エアバッグ袋体は、縫製部において最初に開口する起点の箇所からシートバックの外側へ展開しようとするので、当初は所望の高さ位置に対して上側又は下側へずれて展開する傾向にある。そして、最終的には上記破断による開口がエアバッグユニットと略同じ高さ位置に形成されて、エアバッグ袋体が所望の高さ位置に展開することになるが、エアバッグ袋体を所望の高さ位置に出来る限り正確にかつ素早く展開させるためには、低伸張部材の一端部が、上下方向において、カバー部材の前側端が位置する範囲の略中央部に位置していることが好ましい。
【００１８】
上記車両用シートにおいて、上記カバー部材は、上記エアバッグユニットの側方位置から上記破断促進部に向かってほぼ真っ直ぐに前側に延びていることが好ましい。
【００１９】
このことで、カバー部材の変形時に、カバー部材のシート前側端をシート幅方向外側に大きく変形させることができ、破断促進部及び縫製部に対し大きな破断力を作用させることができる。また、カバー部材がほぼ真っ直ぐに延びていることで、エアバッグ袋体のシート前側への展開を邪魔することなく容易にシート幅方向外側に変形し、よって、エアバッグ袋体の展開が早期にかつスムーズに行われる。
【００２０】
上記車両用シートにおいて、上記カバー部材は、上記エアバッグユニットを収容する収容部を有していて、該収容部にエアバッグユニットを収容した状態で、上記第１固定部材に取付け可能に構成されていることが好ましい。
【００２１】
このようにすれば、エアバッグユニットとカバー部材とを同時に第１固定部材（例えばシートバックフレームや、シートバックフレームに固定されるブラケット等）に取り付けることができ、よって、エアバッグユニット及びカバー部材の組付性を向上させることができる。
【００２２】
上記車両用シートが上記低伸張部材を備えている場合、上記破断促進部は、上記パッドをシート前後方向に貫通するスリットを有し、上記低伸張部材は、上記エアバッグユニットと該エアバッグユニットよりもシート幅方向内側における上記パッドとの間に配設されていて、上記スリットを通って該パッドのシート内側から外側へ延びており、上記低伸張部材の上記他端部は、上記第２固定部材としてのシートバックフレームに取り付けられていることが好ましい。
【００２３】
このことにより、低伸張部材がパッドを介することなく直接にエアバッグ袋体により押圧されるので、前面側表皮における縫製部側の端部が側面側表皮と共に移動しないように、より一層早期に拘束することができるようになる。また、低伸張部材の他端部が、剛性の高いシートバックフレームに取り付けられるので、上記拘束を安定して行うことが可能になる。さらに、スリットによってパッドの破断が促進されるとともに、カバー部材と低伸張部材とによって、破断促進部（スリット）に互いに逆向きの破断力を作用させることができ、パッドを更に早期に破断させることができる。
【００２４】
上記のように上記低伸張部材の上記他端部をシートバックフレームに取り付ける場合、上記低伸張部材の上記他端部は、上記シートバックフレームのシート後側部分に取り付けられていることが好ましい。
【００２５】
このことで、低伸張部材の他端部のシートバックフレームへの取付性を向上させることができる。すなわち、シートの製造時において、低伸張部材は、前面側表皮に予め取り付けられている。そして、パッド、エアバッグユニット、カバー部材等の組付後に、低伸張部材の一端部が予め取り付けられた前面側表皮をシート前側からパッドに被せる。このため、低伸張部材の他端部のシートバックフレームへの取付作業は、通常、シート背面側から行うことになる。したがって、低伸張部材の他端部をシートバックフレームのシート後側部分に取り付けるようにすれば、その取付作業をシート背面側から容易に行うことができるようになる。
【発明の効果】
【００２６】
以上説明したように、本発明のエアバッグ装置を備えた車両用シートによると、カバー部材を、該カバー部材のシート前側端がパッドの破断促進部に近接した状態で該破断促進部に略沿って上下方向に延びるように配設するとともに、エアバッグ袋体の展開圧により該カバー部材のシート前側端が破断促進部及び縫製部に対し破断力を作用させるように変形可能に形成したことにより、パッド及び縫製部の両方の破断を促進することができて、エアバッグ袋体をシートバックの外側へ早期にかつ安定的に展開させることができる。また、縫製部の周囲を含むシート内側にはパッドが存在するため、良好な質感を確保することができる。
【図面の簡単な説明】
【００２７】
【図１】本発明の実施形態に係る車両用シートのシートバックの内部構成を示す、シート右側後方から見た斜視図である。
【図２】シートバックの右側部分を左右方向に沿って切断した横断面図である。
【図３】エアバッグ袋体の展開時の状態を示す図２相当図である。
【図４】低伸張部材の変形例を示す図２相当図である。
【図５】低伸張部材の更に別の変形例を示す図２相当図である。
【発明を実施するための形態】
【００２８】
以下、本発明の実施形態を図面に基づいて詳細に説明する。
【００２９】
図１及び図２は、本発明の実施形態に係る車両用シート１のシートバック３の内部構成を示す。このシート１は、本実施形態では、自動車等の車両の前席右側のシート（運転席シート又は助手席シート）であって、車両のフロアパネル上にシート１の幅方向（左右方向）が車幅方向と一致するように設置される。このシート１の右側は、車幅方向外側であって、図１及び図２の右側に相当し、シート１の左側は、車幅方向内側であって、図１及び図２の左側に相当する。また、シート１の前側は、車両の前側に一致し、シート１の後側は、車両の後側に一致する。以下、シート１の前、後、左及び右を、それぞれ単に前、後、左及び右という。
【００３０】
上記シート１は、シートクッション２、シートバック３及びヘッドレスト４を有する。シートバック３は、シートクッション２の後側端部に設けた不図示のナックル部材を介して、左右方向に延びる軸周りに回転可能に連結されていて、シートクッション２に対してシートバック３の角度調整を行うことができるようになっている。また、シートクッション２は、上記フロアパネルに対する車両前後方向の位置を調整することが可能になっている。
【００３１】
上記シートバック３内には、略矩形枠状のシートバックフレーム１１が配設されている。このシートバックフレーム１１は、シートバック３の左右両側の側面の近傍においてそれぞれ上下方向に延びる左右のサイドフレーム１２，１３と、これら両サイドフレーム１２，１３の上端部同士を連結する、上方に突出する略アーチ状をなして左右方向に延びる円管状のアッパクロスメンバ１４と、両サイドフレーム１２，１３の下端部同士を連結する、左右方向に直線状に延びる断面円形のロアクロスメンバ１５とを有している。
【００３２】
上記両サイドフレーム１２，１３は、板材で構成されている。これら両サイドフレーム１２，１３における下端部からアッパクロスメンバ１４の下端部との連結部の直ぐ下側にかけての部分は、アッパクロスメンバ１４の下端部の延長線よりも前側に突出している。両サイドフレーム１２，１３の該突出部分は、後述の左右２つのサイドサポート部６にそれぞれ対応した位置に設けられている。
【００３３】
上記シートバック３の前面における左右両側の端部には、左右方向中央部の背凭れ面よりも前方（車両前方）に突出しかつ上下方向に延びる左サイドサポート部（図示省略）及び右サイドサポート部６がそれぞれ設けられている。シート側面視で、右サイドサポート部６の前側端は、上下方向中間部の方が上端部及び下端部よりも大きく前方に突出するような湾曲状に形成されている。また、シートバック３の横断面視で（図２参照）、右サイドサポート部６の前側の面は、該右サイドサポート部６の左右方向中間部を頂点６ａとするような略三角形状をなしている。上記頂点６ａが、シート側面視での右サイドサポート部６の前側端となる部分である。尚、左サイドサポート部も、右サイドサポート部６と同様の形状（シートバック３の左右方向中央に対して右サイドサポート部６とは対称の形状）である。
【００３４】
上記シートバック３の外側面は表皮３１で構成されている。この表皮３１は、複数のパーツで構成されていて、シートバック３の前面に位置する前面側表皮３１ａと、シートバックの左右両側の側面にそれぞれ位置する左側面側表皮（図示省略）及び右側面側表皮３１ｂと、シートバック３の背面（後面）に位置する背面側表皮３１ｃとを含む。前面側表皮３１ａ、左側面側表皮及び右側面側表皮３１ｂの直ぐシート内側には、パッド３５が配設されている。
【００３５】
上記前面側表皮３１ａの左側端部は左側面側表皮の前側端部と縫製され、前面側表皮３１ａの右側端部は右側面側表皮３１ｂの前側端部と縫製されている。また、背面側表皮３１ｃの左側端部は左側面側表皮の後側端部と縫製され、背面側表皮３１ｃの右側端部は右側面側表皮３１ｂの後側端部と縫製されている。前面側表皮３１ａの右側端部と右側面側表皮３１ｂの前側端部との間の縫製部３２（図２参照）は、後述の如くエアバッグ袋体４１の展開時にその展開圧により破断されるようになっている。
【００３６】
前面側表皮３１ａの右側端部と右側面側表皮３１ｂの前側端部とはシート内側に折り曲げられて互いに重ね合わされており、それら重ね合わせ部分が互いに糸で縫い合わされることで縫製部３２が形成される。この縫製部３２は、シートバック３の横断面視で、上記頂点６ａに対して後側でかつシート幅方向外側（右側）に位置している。また、縫製部３２は、シートバック３の側面視で、頂点６ａと同様の湾曲状をなしている。
【００３７】
上記シートバック３における車幅方向外側の側部（右側側部）に、エアバッグ装置のエアバッグユニット４０が配設されている。このエアバッグユニット４０は、右サイドフレーム１３に沿って上下方向に延びている。また、エアバッグユニット４０は、折り畳まれた状態にあるエアバッグ袋体４１と、右サイドフレーム１３に沿って上下方向に延びかつエアバッグ袋体４１にガスを供給するインフレータ４２とを含む。このインフレータ４２は、インフレータ保持部材４３を介して、右サイドフレーム１３の前側部分（右サイドフレーム１３における後側端部を除く後側部分よりもシート幅方向内側に位置する）に取付固定されている。すなわち、インフレータ４２を保持するインフレータ保持部材４３には、スタッドボルト４３ａが設けられており、このスタッドボルト４３ａが後述のカバー部材５１のユニット保持部５１ｂと右サイドフレーム１３とを貫通して、ナット４４で締め付けられている。この取付構造により、インフレータ４２はカバー部材５１と共にシートバックフレーム１１における右サイドフレーム１３に取付固定されることになる。
【００３８】
上記エアバッグ袋体４１及びインフレータ４２は、エアバッグ袋体４１の展開圧により破断する紙４５で覆われており、これにより、エアバッグ袋体４１の折り畳まれた状態が維持されるようになされている。
【００３９】
上記エアバッグ装置は、車両に搭載された、ＣＰＵ等を有する不図示の制御装置によって作動される。すなわち、車両の右側側部の車体（センターピラー等）には、車両の衝突（特に側面衝突）による衝撃力を検出する衝突センサ（加速度センサ等）が配設されている。この衝突センサにより所定値（乗員を保護する必要がある値）以上の衝撃力が検出されたときに、上記制御装置がインフレータ４２を作動（点火）させ、これにより、インフレータ４２からエアバッグ袋体４１にガスが供給されて、エアバッグ袋体４１が前側へ向かって展開する。
【００４０】
上記エアバッグユニット４０の前側及びシート幅方向両側は上記パッド３５により覆われている。このパッド３５におけるエアバッグユニット４０のシート幅方向外側（右側）の部分は、右側面側表皮３１ｂに沿って前後方向に延び、エアバッグユニット４０よりも後側では、右サイドフレーム１３に略当接するように厚みが増大している。このパッド３５における右側面側表皮３１ｂに沿って前後方向に延びる部分の後側端部は、右サイドフレーム１３の後側端部を覆わない位置に位置しており、後述のナット５８の締め付けの邪魔にならないようになされている。
【００４１】
上記パッド３５における上記縫製部３２に対応する部分には、破断促進部６１が上下方向に延びるように設けられている。この破断促進部６１は、本実施形態では、上記パッド３５における上記縫製部３２に対応する部分のシート内側面（エアバッグユニット４０側の面）において上下方向に延びる溝部６１ａと、上記パッド３５をシート前後方向に貫通するスリット６１ｂとを有している。
【００４２】
上記破断促進部６１は、パッド３５におけるエアバッグユニット４０の前側の右寄り部分に位置していて、エアバッグユニット４０と略同じ高さ位置にある（溝部６１ａも同様）。破断促進部６１におけるパッド３５前側の面は、シートバック３の側面視で、縫製部３２に沿って湾曲状をなしている。そして、溝部６１ａの底面も、そのパッド３５前側の面（つまり縫製部３２）に沿うように湾曲状をなしており、溝部６１ａの底面とパッド３５前側の面との間の距離が、上下方向において変化しないようになされている。
【００４３】
上記スリット６１ｂは、溝部６１ａに連続するように溝部６１ａの底面から前側に延びてパッド３５の前側の面（シート外側の面）に開口している。スリット６１ｂは、上下方向において、溝部６１ａが位置する範囲の一部に位置している。本実施形態では、スリット６１ｂは、後述の低伸張部材５５の一端部の高さ位置に対応して、溝部６１ａが位置する範囲の略中央部に位置する。
【００４４】
上記エアバッグユニット４０と該エアバッグユニット４０よりもシート幅方向外側における上記パッド３５との間には、シート前後方向に延びるカバー部材５１が配設されている。本実施形態では、カバー部材５１は、サーモプラスチックオレフィン（ＴＰＯ）等の樹脂で構成されている。このカバー部材５１は、エアバッグユニット４０よりもシート幅方向外側におけるパッド３５のシート内側面に沿って前後方向に延びるように配設されている。また、カバー部材５１は、エアバッグユニット４０に対応する高さ位置（エアバッグユニット４０と略同じ高さ位置）に配設されていて、シート側面視で、エアバッグユニット４０全体を覆っている。すなわち、カバー部材５１は、エアバッグ袋体４１のシートバック３内での上下方向展開範囲（エアバッグ袋体４１がシートバック３の外側に出るまでの上下方向展開範囲）に対応した位置に配設されている。
【００４５】
上記カバー部材５１は、該カバー部材５１の前側端が上記破断促進部６１に近接した状態で該破断促進部６１に略沿って上下方向に延びるように配設されている。すなわち、カバー部材５１の前側端は、破断促進部６１の溝部６１ａと略同じ高さ位置にあって、溝部６１ａの右側側面に近接して該溝部６１ａの右側側面に略沿っているとともに、溝部６１ａの底面にも近接して該溝部６１ａの底面に略沿うように、カバー部材５１の上下方向中間部が上端部及び下端部よりも前側となるような湾曲状に形成されている。
【００４６】
上記カバー部材５１は、破断促進部６１に近接した上記前側端から、エアバッグユニット４０の右側側方を通ってエアバッグユニット４１の直ぐ後側の位置まで延びている。この前後方向に延びる部分は、後述の如くエアバッグ袋体４１の展開圧により変形する変形部５１ａとされている。この変形部５１ａの後側端部には、エアバッグユニット４０を保持するためのユニット保持部５１ｂが形成されている。このユニット保持部５１ｂは、シート幅方向内側に延びた後に折れ曲がって右サイドフレーム１３に沿って前側へ延びている。このユニット保持部５１ｂと変形部５１ａとの間に、エアバッグユニット４０を収容する収容部５１ｃが形成され、この収容部５１ｃにエアバッグユニット４０が収容されて保持される。そして、上述の如くインフレータ４２を右サイドフレーム１３の前側部分に取付固定する際に、カバー部材５１のユニット保持部５１ｂも右サイドフレーム１３に共締めされる。このような構成により、カバー部材５１を、収容部５１ｄにエアバッグユニット４０を収容した状態で、右サイドフレーム１３に取り付けることができる。シートバックフレーム１１の右サイドフレーム１３は、カバー部材５１が取り付けられる第１固定部材に相当する。
【００４７】
上記変形部５１ａは、エアバッグユニット４０の側方位置から破断促進部６１の溝部６１ａに向かってほぼ真っ直ぐに前側に延びている。そして、変形部５１ａは、エアバッグ袋体４１の展開時に、その展開圧を受けて、変形部５１ａの後側端近傍を基端とする片持ち梁の如くシート外側（特にシート幅方向外側）へ変形する。この変形部５１ａの変形により、変形部５１ａの前側端（カバー部材５１の前側端）が破断促進部６１の溝部６１ａの右側側面をシート外側（特にシート幅方向外側）へ押圧することになる。この押圧により、破断促進部６１に破断力が作用するとともに、右側面側表皮３１ｂにおける縫製部３２側の端部（前側端部）ないしその近傍がパッド３５を介してシート外側（特にシート幅方向外側）へ押圧されて、縫製部３２にも破断力が作用する。すなわち、カバー部材５１（変形部５１ａ）は、エアバッグ袋体４１の展開圧によりカバー部材５１の前側端（変形部５１ａの前側端）が破断促進部６１及び縫製部３２に対し破断力を作用させるように変形可能に形成されている。尚、変形部５１ａは、上記のように前後方向にほぼ真っ直ぐに延びる直線形状である必要はなく、例えば前側に向かってシート幅方向内側に湾曲していてもよい。但し、変形部５１ａは、上記のような直線形状であることが好ましい。これは、変形部５１ａの変形時に、変形部５１ａの前側端がシート幅方向外側に大きく変形するとともに、エアバッグ袋体４１の前側への展開を邪魔することなく容易にシート幅方向外側に変形するからである。
【００４８】
上記カバー部材５１よりもシート幅方向内側のシートバック３内には、前面側表皮３１ａよりも伸長率の低い可撓性の低伸張部材５５が配設されている。本実施形態では、この低伸張部材５５は、前面側表皮３１ａよりも伸び難い布製のシート状部材で構成されている。低伸張部材５５の一端部は、前面側表皮３１ａにおける縫製部３２側の端部（右側端部）に縫製により取り付けられている。本実施形態では、低伸張部材５５の一端部は、縫製部３２の糸と同じ糸を用いて前面側表皮３１ａの右側端部に縫製されている。尚、低伸張部材５５の一端部は、縫製部３２の糸とは別の糸で前面側表皮３１ａの右側端部に縫製により取り付けてもよく、糸を用いないで、例えば接着により取り付けてもよい。また、低伸張部材５５の一端部は、前面側表皮３１ａの右側端部の近傍に取り付けてもよい。
【００４９】
低伸張部材５５は、エアバッグユニット４０のシート幅方向内側（エアバッグユニット４０と該エアバッグユニット４０よりもシート幅方向内側のパッド３５との間）に配設されている。このことで、カバー部材５１と低伸張部材５５との間に、エアバッグユニット４０が配設されることになる。
【００５０】
低伸張部材５５の一端部側は、エアバッグユニット４０の前側を横切った後、破断促進部６１の溝部６１ａ及びスリット６１ｂを通ってパッド３５のシート内側から外側へ延びて、スリット６１ｂから出た直後に縫製部３２に取り付けられる。
【００５１】
一方、低伸張部材５５の他端部側は、右サイドフレーム１３のシート幅方向内側を通って右サイドフレーム１３の後側端部近傍まで延び、低伸張部材５５の他端部が、取付金具５６を介して右サイドフレーム１３の後側端部に取付固定されている。すなわち、Ｌ字状をなす取付金具５６の前側端部には、低伸張部材５５が挿通される部材挿通孔５６ａが形成されており、低伸張部材５５が部材挿通孔５６ａに挿通された後に折り返されて、その折返し部分と、低伸張部材５５における該折返し部分に対向する部分とが互いに縫製される。また、右サイドフレーム１３の後側端部には、予めスタッドボルト５７が固定されて後方に突出している。一方、取付金具５６のスタッドボルト５７に対応する部分には、ボルト挿通孔５６ｂが形成されており、このボルト挿通孔５６ｂに上記スタッドボルト５７を通して、該スタッドボルト５７にナット５８を締め付ける。
【００５２】
上記ナット５８の締付け時には、既にエアバッグユニット４０及びカバー部材５１が右サイドフレーム１３に取り付けられている。これは、シート１の製造過程で、パッド３５、エアバッグユニット４０、カバー部材５１等の組付後に、低伸張部材５５の一端部が予め取り付けられた前面側表皮３１ａを前側からパッド３５に被せるからである。ここで、低伸張部材５５の他端部には予め取付金具５６を取り付けておく。そして、前面側表皮３１ａをパッド３５に被せるときに、低伸張部材５５の他端部（取付金具５６）をシート背面側から後側へ引っ張り、取付金具５６のボルト挿通孔５６ｂにスタッドボルト５７を通す。その後に、スタッドボルト５７にナット５８を締め付けることで、低伸張部材５５の他端部を右サイドフレーム１３に取り付ける。本実施形態では、右サイドフレーム１３は、第１固定部材兼第２固定部材に相当する。
【００５３】
上記のように低伸張部材５５の他端部を右サイドフレーム１３の後側部分（特に後側端部）に取り付けるようにすれば、低伸張部材５５の他端部の右サイドフレーム１３への取付作業をシート背面側から容易に行うことができるようになる。但し、必ずしも低伸張部材５５の他端部を右サイドフレーム１３の後側部分に取り付ける必要はなく、右サイドフレーム１３の前側部分に取り付けるようにしてもよい。或いは、低伸張部材５５の他端部を、右サイドフレーム１３に固定されるブラケット等に固定するようにしてもよい。
【００５４】
上記低伸張部材５５は、エアバッグ袋体４１の展開時に、その展開圧により前側でかつシート幅方向内側に押圧される。これにより、伸び難い低伸張部材５５が、破断促進部６１の溝部６１ａの左側側面を、カバー部材５１の変形部５１ａによりシート幅方向外側へ押圧される溝部６１ａの右側側面に引っ張られて移動しないように拘束するとともに、前面側表皮３１ａの縫製部３２側の端部を、変形部５１ａによりパッド３５を介してシート幅方向外側へ押圧される右側面側表皮３１ｂに引っ張られて移動しないように拘束する。したがって、パッド３５におけるスリット６１ｂの上側及び下側部分が溝部６１ａを起点として前側へ破断していくとともに、変形部５１ａにより押圧される右側面側表皮３１ｂと、低伸張部材５５により拘束された前面側表皮３１ａとの間の縫製部３２が早期に破断することになる。
【００５５】
ここで、低伸張部材５５の一端部は、上下方向において、カバー部材５１の前側端（変形部５１ａの前側端）が位置する範囲の一部（本実施形態では、変形部５１ａの前側端が位置する範囲の略中央部）に位置していて、前面側表皮３１ａにおける縫製部３２側の端部（右側端部）に、縫製部３２に沿うように取り付けられている。すなわち、低伸張部材５５の一端部の縫製部３２に沿った長さが、変形部５１ａの前側端の溝部６１ａ底面（つまり縫製部３２）に沿った長さよりも短くなっている。これにより、縫製部３２の一部（低伸張部材５５の一端部が取り付けられている部分）に破断力が集中して、その破断力が集中する部分が縫製部３２の破断の起点となる。本実施形態では、低伸張部材５５は、その長さ方向全体が、上下方向において、カバー部材５１の前側端が位置する範囲の略中央部に位置する。これにより、スリット６１ｂは上下方向において、変形部５１ａの前側端が位置する範囲（つまり溝部６１ａが位置する範囲）の一部に位置することになる。尚、低伸張部材５５の一端部は、上下方向において、変形部５１ａの前側端が位置する範囲の略中央部に位置している必要は必ずしもなく、変形部５１ａの前側端が位置する範囲の一部に位置していればよい。また、低伸張部材５５の長さ方向全体が、上下方向において、カバー部材５１が位置する範囲の略中央部に位置している必要はなく、カバー部材５１が位置する範囲の一部に位置していればよい。
【００５６】
次に、上記エアバッグ装置の動作について説明する。
【００５７】
車両が衝突されて、衝突センサにより所定値以上の衝撃力が検出されると、制御装置は、インフレータ４２を作動（点火）させる。これにより、インフレータ４２にガスが発生し、このガスがエアバッグ袋体４１に供給されて、エアバッグ袋体４１が展開する。このエアバッグ袋体４１が、その展開圧（ガス圧）によって紙４５の前側部分を破り、シートバック３内で膨張展開する。このとき、エアバッグ袋体４１が、カバー部材５１の変形部５１ａをシート幅方向外側へ押圧するとともに、低伸張部材５５を前側でかつシート幅方向内側に押圧する。そして、上記変形部５１ａは、エアバッグ袋体４１による上記押圧によりシート幅方向外側へ変形し、この変形によって変形部５１ａの前側端が溝部６１ａの右側側面をシート幅方向外側へ押圧する。このとき、溝部６１ａの左側側面は、低伸張部材５５による拘束により、溝部６１ａの右側側面と共にシート幅方向外側へ移動することはできない。したがって、パッド３５におけるスリット６１ｂの上側及び下側部分が溝部６１ａを起点として前側へ破断していき、パッド３５が破断促進部６１で早期に破断する。
【００５８】
また、上記変形部５１ａの変形により、右側面側表皮３１ｂにおける縫製部３２側の端部（前側端部）ないしその近傍がパッド３５を介してシート幅方向外側へ押圧される。このとき、前面側表皮３１ａの縫製部３２側の端部（右側端部）は、低伸張部材５５による拘束により、右側面側表皮３１ｂと共にシート幅方向外側へ移動することはできない。したがって、縫製部３２の破断も促進される。この縫製部３２は、通常、パッド３５に遅れて破断するが、縫製部３２の破断がパッド３５の破断よりも遅くなった場合でも、変形部５１ａが、その遅くなった分だけより大きくなった展開圧を受けてシート幅方向外側へ大きく変形するので、変形部５１ａの前側端が縫製部３２に対しパッド３５を介してより大きな破断力を作用させる。この結果、パッド３５の破断後直ぐに縫製部３２も破断する。こうして縫製部３２の破断により形成された開口からエアバッグ袋体４１がシートバック３の外側に展開する（図３参照）。
【００５９】
また、縫製部３２の一部に破断力を集中させて縫製部３２の破断の起点を作り、これにより、縫製部３２は、その起点から上下両側に破断していき、やがてエアバッグ袋体４１が通過可能な長さの開口が、エアバッグユニット４０と略同じ高さ位置に形成される。このように破断の起点を作ることで、縫製部３２の破断がより一層促進され、エアバッグ袋体４１をシートバック３の外側へ安定して展開させることができる。
【００６０】
さらに、低伸張部材５５の一端部（つまり破断の起点）が、上下方向において、カバー部材５１の前側端（変形部５１ａの前側端）が位置する範囲の略中央部に位置するので、エアバッグ袋体４１を、展開させたい所望の高さ位置に素早く展開させることができる。すなわち、破断の起点が、カバー部材５１の前側端が位置する範囲の中央部に対して上側又は下側にあったとすると、エアバッグ袋体４１は、縫製部３２において最初に開口する起点の箇所からシートバック３の外側へ展開しようとするので、当初は所望の高さ位置に対して上側又は下側へずれて展開する傾向にある。そして、最終的には上記破断による開口がエアバッグユニット４０と略同じ高さ位置に形成されて、エアバッグ袋体４１が所望の高さ位置に展開することになるが、エアバッグ袋体４１を所望の高さ位置に出来る限り正確にかつ素早く展開させるためには、低伸張部材５５の一端部が、上下方向において、カバー部材５１の前側端が位置する範囲の略中央部に位置していることが好ましい。
【００６１】
上記開口からシートバック３の外側に展開したエアバッグ袋体４１は、そのまま前側へ展開し続け、最終的には、シート１に着座している乗員の側方、つまり該乗員と、衝突により乗員側へ変形しようとするドア等の車体との間に展開する（図１参照）。この展開状態で、エアバッグ袋体４１は、乗員の胸部から腰部の下側部分までの高さ位置に位置して、乗員の胸部及び腰部を保護する。
【００６２】
したがって、本実施形態では、カバー部材５１及び低伸張部材５５により、パッド３５及び縫製部３２の破断を促進することができて、エアバッグ袋体４１のシートバック３外側への展開を早期にかつ安定的に行わせることができる。
【００６３】
尚、上記実施形態では、カバー部材５１を樹脂製としたが、これに限らず、エアバッグ袋体４１の展開圧によりカバー部材５１の前側端が破断促進部６１及び縫製部３２に対し破断力を作用させるように変形可能であれば、どのような材料（例えば鉄等の金属）で構成してもよい。
【００６４】
また、低伸張部材５５は、布製に限らず、前面側表皮３１ａよりも伸長率の低い可撓性のもの（スペースや取り回しの観点から厚みが薄いシート状部材が好ましい）であれば、どのような材料で構成してもよい。
【００６５】
さらに、低伸張部材５５は、パッド３５とエアバッグユニット４０との間に配設する必要は必ずしもなく、例えば図４に示すように、前面側表皮３１ａの右サイドサポート部６に相当する部分とパッド３５との間に配設してもよい。この場合、低伸張部材５５の一端部は、上記実施形態と同様に、前面側表皮３１ａにおける縫製部３２側の端部ないしその近傍に取り付けられるが、低伸張部材５５の他端部は、パッド３５内における右サイドサポート部６の基端部に相当する部分に上下方向に延びるように配設されかつパッド３５を補強する補強ワイヤ３６、又は、その補強ワイヤ３６の後側におけるパッド３５外で上下方向に延びる補強ワイヤ３７に取付固定してもよい（図４では、補強ワイヤ３６に取付固定している）。これら補強ワイヤ３６，３７は、間接的にシートバックフレーム１１に固定されていて、低伸張部材５５の他端部が取り付けられる第２固定部材に相当する。パッド３５における低伸張部材５５が通る部分には、予めスリットを形成しておけばよい。このように低伸張部材５５の他端部を補強ワイヤ３６又は補強ワイヤ３７に取付固定する場合には、図４に示すように、パッド３５における右側面側表皮３１ｂに沿って前後方向に延びる部分の後側端部が、右サイドフレーム１３の後側端部を覆っていてもよい。
【００６６】
また、図５に示すように、上記のように前面側表皮３１ａとパッド３５との間に配設された低伸張部材５５の他端部を補強ワイヤ３６又は補強ワイヤ３７に取付固定する代わりに、該低伸張部材５５を、パッド３５における右サイドサポート部６の基端部に相当する部分を通過した後に右サイドフレーム１３のところまで延びるようにして、上記実施形態と同様に、その低伸張部材５５の他端部を右サイドフレーム１３に取付固定するようにしてもよい。
【００６７】
上記のように低伸張部材５５を前面側表皮３１ａとパッド３５との間に配設する場合には、破断促進部６１のスリット６１ｂをそのまま残してもよく、なくしてもよい（図４では、スリット６１ｂを残している）。上記のような低伸張部材５５の配置の場合、破断促進部６１には低伸張部材５５による拘束力が作用しないが、溝部６１ａの深さを適切に設定することで、カバー部材５１による破断力でパッド３５の破断を促進することができる。或いは、溝部６１ａに代えて、又は溝部６１ａに加えて、破断促進部６１を他の部分よりも硬質の破断し易いパッド材料で構成することで、パッド３５の破断を促進することができるようになる。この硬質のパッド材料で構成した破断促進部６１は、溝部６１ａがない場合には、少なくともパッド３５の内側部分に設ければよく、溝部６１ａがある場合には、溝部６１ａの底面からパッド３５の前側の面にかけての部分（スリット６１ｂがある場合には、スリット６１ｂを含めてその上下両側部分）に設ければよい。上記硬質のパッド材料は、上記実施形態の構成にも適用可能である。
【００６８】
また、低伸張部材５５は必ずしも必要なものではなくて、低伸張部材５５をなくすことも可能である。この場合、上記のように溝部６１ａの深さを適切に設定する等することで、カバー部材５１による破断力でパッド３５の破断を促進することができる。また、カバー部材５１の前側端を縫製部３２に出来る限り近付ける（例えば溝部６１ａの深さを大きくする）等することで、カバー部材５１による破断力で縫製部３２の破断も促進することができる。
【００６９】
また、上記実施形態では、エアバッグユニット４０を、カバー部材５１と共に右サイドフレーム１３に取付固定したが、カバー部材５１とは別に、右サイドフレーム１３、又は、該右サイドフレーム１３に取付固定されたブラケット等に取付固定するようにしてもよい。また、カバー部材５１を、右サイドフレーム１３に取付固定されたブラケット（エアバッグユニット４０を取り付けるブラケットと同じであってもよく、異なっていてもよい）等に取付固定することも可能である。
【００７０】
また、上記実施形態では、車両の前席右側のシートを例に説明したが、これに限らず、車両の前席左側のシート（該シートの左側側部にエアバッグユニットが配設される）や、後席シートであってもよい。
【産業上の利用可能性】
【００７１】
本発明は、エアバッグ袋体が、エアバッグユニットのシート前側及びシート幅方向両側を覆うように配設されたパッドを破断しかつシートバックにおける前面側表皮と車幅方向外側の側面側表皮との間の縫製部を破断して、該縫製部の破断により形成された開口からシートバックの外側に展開するように構成されたエアバッグ装置を備えた車両用シートに有用である。
【符号の説明】
【００７２】
１      車両用シート
３      シートバック
１１    シートバックフレーム
１３    右サイドフレーム（第１及び第２固定部材の一例）
３１    表皮
３１ａ  前面側表皮
３１ｂ  右側面側表皮（車幅方向外側の側面側表皮）
３１ｃ  背面側表皮
３２    縫製部
３５    パッド
３６    補強ワイヤ（第２固定部材の一例）
３７    補強ワイヤ（第２固定部材の一例）
４０    エアバッグユニット
４１    エアバッグ袋体
４２    インフレータ
５１    カバー部材
５１ａ  変形部
５１ｂ  ユニット保持部
５１ｃ  収容部
５５    低伸張部材
６１    破断促進部
６１ａ  溝部
６１ｂ  スリット
【図１】
2011068198.tif 000003
【図２】
2011068198.tif 000004
【図３】
2011068198.tif 000005
【図４】
2011068198.tif 000006
【図５】
2011068198.tif 000007